(57)【要約】【課題】複数のデータを印刷等出力する場合のユーザによる合成編集作業の手間をなくすことができるデータ合成装置及び画像形成装置、並びにデータ合成方法を提供する。【解決手段】ユーザのＰＣからネットワークＮＷを介して送信されてきたジョブを受信手段２６で受信すると、受信したジョブに含まれるデータが記憶手段２３に一時保存される。そして、記憶手段２３に保存されている複数のジョブの中から、ジョブの内容に基づいて、合成対象となるデータがデータ特定手段２７によって特定され、これらの特定されたデータがデータ合成手段２７によって合成される。つまり、ユーザは、ＰＣ上でアプリケーションを立ち上げて複数のデータを貼り付け等によりまとめる編集作業などを行わなくても、ジョブを発行すれば、データ合成装置側で、まとめるべきデータが自動的に特定されかつ合成され、ＰＣ上で合成編集したのと同じデータが得られるので、ユーザは合成編集作業の手間から解放される。【選択図】        図３
2005025633.tif 000002
【特許請求の範囲】
【請求項１】
ジョブを受信する受信手段と、
受信したジョブに含まれるデータを一時保存する記憶手段と、
前記記憶手段に保存されている複数のジョブの中から、ジョブの内容に基づいて、合成対象となるデータを特定するデータ特定手段と、
前記データ特定手段によって特定されたデータを合成するデータ合成手段と、を備えたことを特徴とするデータ合成装置。
【請求項２】
前記データ特定手段は、ジョブで指定されている出力設定、デ−タの量およびジョブ発行元を解析し、所定時間内に受信した複数のジョブのうち、デ−タ量が出力設定に足りておらず、かつジョブ発行元及び出力設定が同一であるジョブについて、それらのデータが合成対象であると判断する請求項１に記載のデータ合成装置。
【請求項３】
前記データ特定手段は、ジョブで指定されている出力設定、デ−タの量およびジョブ発行元を解析するとともに、ジョブに合成対象データの特定実行のためのコマンドが付されているか否かを判定し、前記コマンドが付されていると判定された場合には、複数のジョブのうち、デ−タ量が出力設定に足りておらず、かつジョブ発行元及び出力設定が同一であるジョブについて、それらのデータが合成対象であると判断する請求項１に記載のデータ合成装置。
【請求項４】
前記データ合成手段は、複数のデータを受信順に合成する請求項１に記載のデータ合成装置。
【請求項５】
請求項１〜４のいずれかに記載のデータ合成装置と、
前記データ合成装置によって合成されたデータを、ジョブで指定されている出力設定により出力する出力手段と、を備えたことを特徴とする画像形成装置。
【請求項６】
ジョブを受信するステップと、
受信したジョブに含まれるデータを記憶手段に一時保存するステップと、
前記記憶手段に保存されている複数のジョブの中から、ジョブの内容に基づいて、合成対象となるデータを特定するステップと、
特定されたデータを合成するステップと、を備えたことを特徴とするデータ合成方法。
【請求項７】
ジョブで指定されている出力設定、デ−タの量およびジョブ発行元を解析し、所定時間内に受信した複数のジョブのうち、デ−タ量が出力設定に足りておらず、かつジョブ発行元及び出力設定が同一であるジョブについて、それらのデータが合成対象であると特定する請求項６に記載のデータ合成方法。
【請求項８】
ジョブで指定されている出力設定、デ−タの量およびジョブ発行元を解析するとともに、ジョブに合成対象データの特定実行のためのコマンドが付されているか否かを判定し、前記コマンドが付されている場合には、複数のジョブのうち、デ−タ量が出力設定に足りておらず、かつジョブ発行元及び出力設定が同一であるジョブについて、それらのデータが合成対象であると特定する請求項６に記載のデータ合成方法。
【請求項９】
前記複数のデータの合成は受信順に行われる請求項６に記載のデータ合成方法。
【発明の詳細な説明】
【０００１】
【発明の属する技術分野】
この発明は、複数のユ−ザの端末にネットワーク接続された多機能形画像形成装置であるＭＦＰ（Ｍｕｌｔｉ  Ｆｕｎｃｔｉｏｎ  Ｐｅｒｉｐｈｅｒａｌｓ）  などに適用されるデータ合成装置、画像形成装置並びにデータ合成方法に関する。
【０００２】
【従来の技術】
ユーザのパーソナルコンピュータ（以下、ＰＣという）をネットワークを介してＭＦＰなどの画像形成装置に接続し、ＰＣ上あるいはＰＣによるＷｅｂ  ブラウザ上に存在するデータを印刷する場合に、このデータを前記ＭＦＰに送信して印刷を実行する画像形成システムは、従来より知られている（例えば特許文献１）。
【０００３】
このような画像形成システムにおいて、ＰＣ上あるいはＰＣによるＷｅｂ  ブラウザ上に印刷したいデータが複数存在し、かつその複数のデータを一緒にＮｕｐ（複数ページを１ページにまとめる）、Ｓｔａｐｌｅ（ステープル止め）、Ｂｏｏｋｌｅｔ  （小冊子にする）などに加工して印刷したい場合がある。
【０００４】
この場合、従来では、ユーザがパーソナルコンピュータ上で特定のアプリケーションを立ち上げて、このアプリケーションを使って複数のデータを合成編集（例えば「貼り付け」）を行って１つのデータに加工してからＮｕｐ  などを指定し、そのジョブをＭＦＰに発行して印刷させるようにしている。
【０００５】
【特許文献１】
特開２００２−２５４７７４号
【０００６】
【発明が解決しようとする課題】
しかしながら、このような従来の方法では、各デ−タの内容自体の変更は行わないにもかかわらず、ユーザが前記特定のアプリケーションを立ち上げて合成編集作業を行ってからジョブをＭＦＰに発行しなければならず、ユーザにデータ合成編集作業の負担がかかってしまうという問題があった。
【０００７】
この発明は、上記実情に鑑みてなされたものであり、複数のデータを印刷等出力する場合のユーザによる合成編集作業の手間をなくすことができるデータ合成装置及び画像形成装置、並びにデータ合成方法を提供することを課題とする。
【０００８】
【課題を解決するための手段】
上記課題は、ジョブを受信する受信手段と、受信したジョブに含まれるデータを一時保存する記憶手段と、前記記憶手段に保存されている複数のジョブの中から、ジョブの内容に基づいて、合成対象となるデータを特定するデータ特定手段と、前記データ特定手段によって特定されたデータを合成するデータ合成手段と、を備えたことを特徴とするデータ合成装置によって解決される。
【０００９】
このデータ合成装置では、例えばユーザのＰＣからネットワークを介して送信されてきたジョブを受信手段で受信すると、受信したジョブに含まれるデータが記憶手段に一時保存される。そして、記憶手段に保存されている複数のジョブの中から、ジョブの内容に基づいて、合成対象となるデータがデータ特定手段によって特定され、これらの特定されたデータがデータ合成手段によって合成される。
【００１０】
つまり、ユーザは、ＰＣ上でアプリケーションを立ち上げて複数のデータを貼り付け等によりまとめる合成編集作業などを行わなくても、ジョブを発行すれば、データ合成装置側で、まとめるべきデータが自動的に特定されかつ合成され、ＰＣ上で合成編集したのと同じデータが得られるので、ユーザは合成編集作業の手間から解放される。
【００１１】
前記データ合成装置において、データ特定手段は、ジョブで指定されている出力設定、デ−タの量およびジョブ発行元を解析し、所定時間内に受信した複数のジョブのうち、デ−タ量が出力設定に足りておらず、かつジョブ発行元及び出力設定が同一であるジョブについて、それらのデータが合成対象であると判断する構成としても良い。
【００１２】
ユーザは、合成対象の各ジョブについては、ＰＣ側で編集した場合と同じ出力設定を行うはずであるから、所定時間内に受信した複数のジョブのうち、デ−タ量が出力設定に足りておらず、かつジョブ発行元及び出力設定が同一であるジョブについて、それらのデータが合成対象であると判断することができ、これにより合成対象のデータを容易に特定することができる。
【００１３】
また、前記データ特定手段は、ジョブで指定されている出力設定、デ−タの量およびジョブ発行元を解析するとともに、ジョブに合成対象データの特定実行のためのコマンドが付されているか否かを判定し、前記コマンドが付されていると判定された場合には、複数のジョブのうち、デ−タ量が出力設定に足りておらず、かつジョブ発行元及び出力設定が同一であるジョブについて、それらのデータが合成対象であると判断する構成としても良い。
【００１４】
この場合には、前記コマンドが付されていると判定されたことにより、合成対象データの特定処理を実行することができる。従って、ユーザは、１つにまとめたい複数のデータのうち最後に送信したデータについてのジョブに、このコマンドを付せば良い。
【００１５】
また、前記データ合成手段は、複数のデータを受信順に合成する構成としても良い。これにより、ユーザは合成順にデータを送信すれば良い。
【００１６】
また、前記課題は、前記いずれかに記載のデータ合成装置と、前記データ合成装置によって合成されたデータを、ジョブで指定されている出力設定により出力する出力手段と、を備えたことを特徴とする画像形成装置によって解決される。
【００１７】
この画像形成装置によれば、データ合成装置によって合成されたデータを、ユーザの指定した出力設定で画像形成することができる。
【００１８】
また、前記課題は、ジョブを受信するステップと、受信したジョブに含まれるデータを記憶手段に一時保存するステップと、前記記憶手段に保存されている複数のジョブの中から、ジョブの内容に基づいて、合成対象となるデータを特定するステップと、特定されたデータを合成するステップと、を備えたことを特徴とするデータ合成方法によって解決される。
【００１９】
このデータ合成方法では、例えばユーザのＰＣからネットワークを介して送信されてきた複数のジョブを受信すると、受信した各ジョブに含まれるデータが記憶手段に一時保存される。そして、記憶手段に保存されている複数のジョブの中から、ジョブの内容に基づいて、合成対象となるデータが特定され、これらの特定されたデータが合成される。
【００２０】
前記データ合成方法において、ジョブで指定されている出力設定、デ−タの量およびジョブ発行元を解析し、所定時間内に受信した複数のジョブのうち、デ−タ量が出力設定に足りておらず、かつジョブ発行元及び出力設定が同一であるジョブについて、それらのデータが合成対象であると特定しても良い。
【００２１】
また、ジョブで指定されている出力設定、デ−タの量およびジョブ発行元を解析するとともに、ジョブに合成対象データの特定実行のためのコマンドが付されているか否かを判定し、前記コマンドが付されている場合には、複数のジョブのうち、デ−タ量が出力設定に足りておらず、かつジョブ発行元及び出力設定が同一であるジョブについて、それらのデータが合成対象であると特定しても良い。
【００２２】
また、前記複数のデータの合成は受信順に行われても良い。
【００２３】
【発明の実施の形態】
以下、この発明の一実施形態を図面に基づいて説明する。
【００２４】
図１は、この発明の一実施形態に係る画像形成装置が適用された画像形成システムを示す構成図である。
【００２５】
図１において、この画像形成システムＡは、複数のユ−ザの端末であるＰＣ１・・・と、ユーザが共有する画像形成装置としてのＭＦＰ２とを備え、これらＰＣ１とＭＦＰ２とはネットワークＮＷを介して接続されている。
【００２６】
図２は、前記ＰＣ１の構成を示すブロック図である。
【００２７】
図２において、このＰＣ１は、記憶部１１、操作部１２、ディスプレイ部１３、ＣＰＵ１４およびネットワークインターフェース部（図面ではネットワークＩ／Ｆ部と記す）１５などを備えている。
【００２８】
前記記憶部１１は、例えばハードディスク装置（ＨＤＤ）などからなり、ワープロソフト、表計算ソフトなどの各種アプリケーション、さらに、各種データやジョブ印刷設定情報などを記憶している他に、ＭＦＰ２と関連づけられたドライバが格納されている。
【００２９】
前記操作部１２は、キーボードやマウスなどからなり、ユーザのデータ作成や各種指示のために使われる。
【００３０】
前記ディスプレイ部１３は、ＣＲＴあるいはＬＣＤなどからなり、作成データなどの他に、Ｗｅｂ  ブラウザなどが表示される。
【００３１】
前記ＣＰＵ１４は、ＰＣ１の全体を統括制御する。
【００３２】
前記ネットワークインターフェース部１５は、印刷データや指令などをＭＦＰ２などに送信したり、外部からの信号やデータを受信する機能をもっている。ユーザが作成したデ−タは、ドライバにより印刷データに変換された後、このネットワークインターフェース部１５によりネットワークＮＷを介してＭＦＰ２に送信される。
【００３３】
図３は、前記ＭＦＰ２の構成を示すブロック図である。
【００３４】
図３において、前記ＭＦＰ２は、スキャン部２１、印刷制御部２２、印刷データ保存部であるメモリ部２３、操作パネル部２４、印刷出力部２５およびネットワークインターフェース部（図面ではネットワークＩ／Ｆ部と記す）２６などを備えている。
【００３５】
前記スキャン部２１は、原稿台（図示せず）に載置された原稿画像などを読み取るものである。
【００３６】
前記印刷制御部２２は、受信ジョブ解析部２７と、印刷処理部２８とを有している。
【００３７】
前記受信ジョブ解析部２７は、前記ネットワークインターフェース部２６を介して受信した印刷ジョブを解析するものである。印刷ジョブには図４に示すように、印刷コマンドと印刷データが含まれている。印刷コマンドには、ジョブの発行元を示すＩＰアドレス、ページ数、ジョブ名のほか書式、用紙サイズ、用紙種類、部数等の印刷設定が含まれている。受信ジョブ解析部２７は、ジョブを解析して、指定されている前記印刷設定、ジョブの印刷デ−タ量およびジョブの発行元を特定する機能を有している。
【００３８】
また、この受信ジョブ解析部２７は、合成すべき印刷データを特定する機能や、特定した複数の印刷デ−タを合成して印刷処理コマンドを作成し、このコマンドとこのコマンドの対象となる印刷データを印刷処理部２８に転送する機能等を有している。
【００３９】
なお、この受信ジョブ解析部２７は、受信した印刷データを、ＭＦＰ２の内部に持つ番号を割り振って前記メモリ２３に一時格納させる。印刷コマンドは、前述したように、例えば印刷ジョブ発行元のＩＰアドレス、書式、ペ−ジ数、ジョブ名、用紙サイズ、用紙種類、部数などであり、受信ジョブ解析部２７は、この印刷コマンドにも番号を割り振りしてメモリ２３内の待機ジョブリスト（図５）に一時格納させる。
【００４０】
前記印刷処理部２８は、受信ジョブ解析部２７から転送されてきた印刷データ及び印刷処理コマンドに基づいて、印刷変換ジョブを作成し、この印刷変換ジョブを印刷出力部２５に送出するものである。
【００４１】
前記メモリ部２３は、前記受信ジョブ解析部２７で解析されて番号が割り振られた印刷データを一時格納するとともに、割り振った番号が付けられた印刷コマンドを図５に示すようなテーブル形式の待機ジョブリストに記憶する。図５に示す待機ジョブリストには、印刷コマンドに対応する項目のほか、ジョブ受信後の待機時間も記憶されるようになっている。
【００４２】
前記操作パネル部２４は、各種キーや表示部などを備え、各種モードの設定やデータの宛先（送信先）入力などを行うためのものである。
【００４３】
前記印刷出力部２５は、印刷変換ジョブを受けて、そのジョブデータの印刷を実行するものである。
【００４４】
前記ネットワークインターフェース部２６は、ＰＣ１からの印刷ジョブを受信する機能を有している。
【００４５】
つぎに、このＭＦＰ２の受信ジョブ解析部２７による印刷ジョブの受信処理の流れを図６のフローチャートを参照して説明する。なお、以下の説明ならびに図面では、ステップをＳと略記する。
【００４６】
図６において、Ｓ１０１では、受信ジョブ解析部２７が、ネットワークインターフェース部２６を介して、印刷ジョブを受信したか否かを判断し、印刷ジョブを受信していなければ（Ｓ１０１の判定がＮＯ）、Ｓ１０１に待機する。印刷ジョブを受信すると（Ｓ１０１の判定がＹＥＳ）、Ｓ１０２で、受信したジョブを解析して印刷データと印刷コマンドを取得する。
【００４７】
そして、Ｓ１０３では、印刷データをＭＦＰ２の内部で持つ番号を割り振ってから、メモリ部（印刷データ保存部）２３に一時格納して待機させる。Ｓ１０４では、印刷コマンドの内容を、印刷データに割り振った番号と同じ番号を付けて、前記メモリ２３の待機ジョブリスト（図５）に格納してからＳ１０１に戻る。
【００４８】
つぎに、メモリ部２３に格納・待機された印刷ジョブの、受信ジョブ解析部２７による転送処理の流れを図７に示すフローチャートを参照して説明する。
【００４９】
図７において、まず受信ジョブ解析部２７は、Ｘ秒（待機時間Ｙ秒よりも十分小さい値）毎に待機ジョブリストをチェックする。つまり、Ｓ２０１では、Ｘ秒経過したか否かを判断し、Ｘ秒経過しなければ（Ｓ２０１の判定がＮＯ）、Ｓ２０１にとどまり、Ｘ秒経過していれば（Ｓ２０１の判定がＹＥＳ）、Ｓ２０２で、待機ジョブリストをチェックする。
【００５０】
ついで、Ｓ２０３では、印刷設定、ページ数よりジョブが単体で出力できるか否かを判断する。その判断は、例えばジョブの印刷設定として、１枚の用紙に２ページ分の原稿データを印刷する２ｉｎ１の書式が設定されている場合に、ページ数が２であれば、前記２ｉｎ１の書式による印刷が可能であることから、ページ数が印刷設定に足りて単体での出力が可能であり、また、例えば２ｉｎ１の印刷設定に対してページ数が１であれば、ページ数は印刷設定に足りず、単体での出力不可能とする。
【００５１】
ジョブが単体で出力できれば（Ｓ２０３の判定がＹＥＳ）、Ｓ２０９では印刷設定通りに印刷するという印刷処理コマンドを作成したのちＳ２０７に進む。
【００５２】
ジョブが単体で出力できなければ（Ｓ２０３の判定がＮＯ）、Ｓ２０４では、待機ジョブリストにおいて、待機時間がＹ秒以上経過しているジョブが存在するか否かを判断し、待機時間がＹ秒以上経過しているジョブが存在しなければ（Ｓ２０４の判定がＮＯ）、Ｓ２０１に戻る。
【００５３】
待機時間がＹ秒以上経過しているジョブが存在すれば（Ｓ２０４の判定がＹＥＳ）、Ｓ２０５では、そのジョブと同じＩＰアドレスのＰＣ１から送信されており、かつ印刷設定（書式、用紙サイズ、用紙種類、部数など）が同じである印刷データが存在するか否かを判断する。
【００５４】
図５のジョブリストにおける番号１０４、１０６、１０７のジョブのように、印刷設定が同じである印刷データが存在すれば（Ｓ２０５の判定がＹＥＳ）、Ｓ２０６では、待機時間（Ｙ秒）の経過した順に換言すればジョブの受信順に合成し、それらの印刷設定通りに印刷するという印刷コマンドを作成してＳ２０７に進む。印刷設定が同じである印刷データが存在しなければ（Ｓ２０５の判定がＮＯ）、Ｓ２０９に進み、印刷設定通りに印刷するという印刷コマンドを作成してからＳ２０７に進む。
【００５５】
Ｓ２０７では、印刷処理コマンドと印刷処理コマンドの対象となる印刷データを印刷処理部２８に転送する。ついで、Ｓ２０８では、印刷処理部２８に転送したジョブの印刷データをメモリ部２３から削除し、対応するジョブ情報を待機ジョブリストから削除してからＳ２０１に戻る。
【００５６】
印刷処理部２８は、受信データ解析部２７から転送されてきた印刷データ及び印刷処理コマンドに基づいて、印刷変換ジョブを作成し、この印刷変換ジョブを印刷出力部２５に送出する。この印刷変換ジョブに基づいて、印刷出力部２５は、単一のデータあるいは合成された複数のデータを用紙に印刷する。
【００５７】
このように、ユーザが複数のデータをＰＣ１などを使って編集しなくても、ジョブを発行するだけでＭＦＰ２側でジョブデータを合成して編集されるので、ユーザの作業負担が軽減される。
【００５８】
つぎに、この発明の他の実施形態を説明する。
【００５９】
この実施形態では、ユーザがＰＣ１におけるドライバにより”待機コマンド”を付加した状態でジョブをＭＦＰ２に発行し、その後でユーザがドライバにより”待機解除コマンド”を付加してジョブをＭＦＰ２に発行し、この”待機解除コマンド”付のジョブに基づいて、合成すべき複数のデータを特定して合成するようにしたものである。
この印刷ジョブの受信処理の流れは、ユーザがジョブに”待機コマンド”または”待機解除コマンド”を付加してＭＦＰ２に送信することを除いて、図６に示したフローチャートと同じであるので、説明を省略する。
【００６０】
つぎに、メモリ部２３に格納された印刷ジョブの転送処理の流れを図８に示すフローチャートを参照して説明する。
【００６１】
図８において、まず受信ジョブ解析部２７は、Ｘ秒毎に待機ジョブリストをチェックする。つまり、Ｓ２０１では、Ｘ秒経過したか否かを判断し、Ｘ秒経過しなければ（Ｓ３０１の判定がＮＯ）、Ｓ３０１にとどまり、Ｘ秒経過していれば（Ｓ３０１の判定がＹＥＳ）、Ｓ３０２で、待機ジョブリストをチェックする。
【００６２】
ついで、Ｓ３０３では、印刷設定、ページ数よりジョブが単体で出力できるか否かを判断する。ジョブが単体で出力できれば（Ｓ３０３の判定がＹＥＳ）、Ｓ３０９では印刷設定通りに印刷するという印刷処理コマンドを作成したのちＳ３０７に進む。
【００６３】
ジョブが単体で出力できなければ（Ｓ３０３の判定がＮＯ）、Ｓ３０４では、”待機解除コマンド”付の印刷データが存在するか否かを判断し、存在しなければ（Ｓ３０４の判定がＮＯ）、Ｓ３０１に戻る。
【００６４】
”待機解除コマンド”付の印刷データが存在すれば（Ｓ３０４の判定がＹＥＳ）、Ｓ３０５では、そのジョブと同じＩＰアドレスから出力されており、かつ印刷設定（書式、用紙サイズ、用紙種類、部数など）が同じである印刷データが存在するか否かを判断する。
【００６５】
印刷設定が同じである印刷データが存在すれば（Ｓ３０５の判定がＹＥＳ）、Ｓ３０６では、ジョブの受信順に合成し、それらの印刷設定通りに印刷するという印刷コマンドを作成してＳ３０７に進む。印刷設定が同じである印刷データが存在しなければ（Ｓ３０５の判定がＮＯ）、Ｓ３０９に進み、印刷設定通りに印刷するという印刷コマンドを作成してからＳ３０７に進む。
【００６６】
Ｓ３０７では、印刷処理コマンドと印刷処理コマンドの対象となる印刷データを印刷処理部２８に転送する。ついで、Ｓ３０８で、印刷処理部２８に転送したジョブの印刷データをメモリ部２３から削除し、対応するジョブ情報を待機ジョブリストから削除してからＳ３０１に戻る。
【００６７】
印刷処理部２８は、受信データ解析部２７から転送されてきた印刷データ及び印刷処理コマンドに基づいて、印刷変換ジョブを作成し、この印刷変換ジョブを印刷出力部２５に送出する。この印刷変換ジョブに基づいて、印刷出力部２５は、単一のデータあるいは合成された複数のデータを用紙に印刷する。
【００６８】
この実施形態によっても、ユーザが複数のデータをＰＣ１などを使って編集しなくても、ジョブを発行するだけでＭＦＰ２側でジョブデータを合成して編集されるので、ユーザの作業負担が軽減される。
【００６９】
図８に示した実施形態では、全てのジョブに”待機コマンド”を付してＰＣ１からＭＦＰ２に送信するものとしたが、合成編集するジョブに対してのみ”待機コマンド”を付すとともに、合成編集する最後のジョブに対して”待機解除コマンド”を付して送信し、ＭＦＰでは、”待機解除コマンド”付きのジョブを受信したときに、そのジョブと”待機コマンド”付きのジョブとを受信順に合成する構成としても良い。
【００７０】
なお、上記各実施例では、解析手段２７、判断手段２７ａ、さらに合成手段２７ｂの各機能を備えたデータ合成装置が、ＭＦＰ２に組み込まれている場合を示したが、例えば、ＭＦＰ２の印刷出力部２５などとは独立した構成のプリントコントローラが、前記データ合成装置を備えた構成としても良い。
【００７１】
また、複数のデータを受信順に合成する場合を示したが、合成順を示すコマンドをジョブに付し、その順序に従って合成するものとしても良い。
【００７２】
【発明の効果】
請求項１に係る発明によれば、ユーザは、ＰＣ上でアプリケーションを立ち上げて複数のデータを貼り付け等によりまとめる合成編集作業などを行わなくても、ジョブを発行すれば、データ合成装置側で、まとめるべきデータが自動的に特定されかつ合成され、ＰＣ上で編集したのと同じデータが得られるから、ユーザによる編集作業の手間を不要にすることができる。
【００７３】
請求項２に係る発明によれば、所定時間内に受信した複数のジョブのうち、デ−タ量が出力設定に足りておらず、かつジョブ発行元及び出力設定が同一であるジョブについて、それらのデータが合成対象であると判断することができ、これにより合成対象のデータを容易に特定することができる。
【００７４】
請求項３に係る発明によれば、合成対象データの特定実行のためのコマンドが付されていると判定されたことにより、合成対象データの特定処理を実行することができるから、ユーザは、１つにまとめたい複数のデータのうち最後に送信したデータについてのジョブに、このコマンドを付せば良い。
【００７５】
請求項４に係る発明によれば、ユーザは合成順にデータを送信すれば良いから、ユーザ側の操作をさらに簡素化できる。
【００７６】
請求項５に係る発明によれば、データ合成装置によって合成されたデータを、ユーザの指定した出力設定で出力することができる画像形成装置となし得る。
【００７７】
請求項６に係る発明によれば、ユーザは、ＰＣ上でアプリケーションを立ち上げて複数のデータを貼り付け等によりまとめる合成編集作業などを行わなくても、ジョブを発行すれば、まとめるべきデータが自動的に特定されかつ合成され、ＰＣ上で編集したのと同じデータが得られるから、ユーザによる編集作業の手間を不要にすることができる。
【００７８】
請求項７に係る発明によれば、所定時間内に受信した複数のジョブのうち、デ−タ量が出力設定に足りておらず、かつジョブ発行元及び出力設定が同一であるジョブについて、それらのデータが合成対象であると判断することができ、これにより合成対象のデータを容易に特定することができる。
【００７９】
請求項８に係る発明によれば、合成対象データの特定実行のためのコマンドが付されていると判定されたことをきっかけにして、合成対象データを特定することができ、ユーザは、１つにまとめたい複数のデータのうち最後に送信したデータについてのジョブに、このコマンドを付せば良い。
【００８０】
請求項９に係る発明によれば、ユーザは合成順にデータを送信すれば良いから、ユーザ側の操作をさらに簡素化できる。
【図面の簡単な説明】
【図１】この発明の一実施形態に係る画像形成装置が適用された画像形成システムを示す構成図である。
【図２】同じく画像形成システムにおけるパーソナルコンピュータの構成を示すブロック図である。
【図３】同じく画像形成システムにおける画像形成装置を示すブロック図である。
【図４】印刷ジョブの構成図である。
【図５】待機ジョブリストを示す記憶テーブルである。
【図６】画像形成装置における印刷ジョブの受信処理の流れを示すフローチャートである。
【図７】画像形成装置におけるメモリ部に格納された印刷ジョブの転送処理の流れを示すフローチャートである。
【図８】この発明の他の実施形態における画像形成装置におけるメモリ部に格納された印刷ジョブの転送処理の流れを示すフローチャートである。
【符号の説明】
２        ＭＦＰ（データ合成装置、画像形成装置）
２２            印刷制御部
２３      メモリ（記憶手段）
２６            ネットワークインターフェース部（受信手段）
２７      受信ジョブ解析部（データ特定手段、データ合成手段）
【図１】
2005025633.tif 000003
【図２】
2005025633.tif 000004
【図３】
2005025633.tif 000005
【図４】
2005025633.tif 000006
【図５】
2005025633.tif 000007
【図６】
2005025633.tif 000008
【図７】
2005025633.tif 000009
【図８】
2005025633.tif 000010